(57)【要約】【課題】簡単に貼り付けることができ、再度使用することが可能な表示用粘着シート及びその製造方法を提供する。【解決手段】一方の面に離型剤をコーティングした離型シート１をその一方の面を上面にして搬送する。搬送された離型シート１の上面にアクリル酸エステル共重合体を主成分とする液状の粘着剤を撒布器６により撒布した後表示シート２を貼り合わせて表示用粘着シートを製造する。使用に際して離型シート１を剥離して表示シート２を壁面等に貼り付ければよく、簡単に貼り付けることができる。また、表示シート２を剥がして離型シート１を貼り付けておけば再度使用することができる。【選択図】　　　　図１
2004053709.tif 000002
【特許請求の範囲】
【請求項１】
一方の面の全面に離型剤がコーティングされた離型シートを搬送し、その一方の面にアクリル酸エステル共重合体を主成分とする液状の粘着剤を離散して付着させ、その一方の面に表示シートを積層することを特徴とする表示用粘着シートの製造方法。
【請求項２】
前記表示シートは、積層する前に印刷されることを特徴とする請求項１に記載の表示用粘着シートの製造方法。
【請求項３】
前記粘着剤は透明であるとともに、前記表示シートは前記離型シートと対向する面に印刷されることを特徴とする請求項２に記載の表示用粘着シートの製造方法。
【請求項４】
一方の面の全面に離型剤がコーティングされた離型シートと、該離型シートの一方の面上に離散して形成されたアクリル酸エステル共重合体を主成分とする粘着層と、前記離型シートの全面を覆うように前記粘着層の上に積層された表示シートを備えたことを特徴とする表示用粘着シート。
【請求項５】
前記表示シートには文字又は図柄等が印刷されていることを特徴とする請求項４に記載の表示用粘着シート。
【請求項６】
前記粘着層は透明であるとともに、前記表示シートは、前記離型シートと対向する面に印刷されていることを特徴とする請求項５に記載の表示用粘着シート。
【発明の詳細な説明】
【０００１】
【発明の属する技術分野】
本発明は、屋内又は屋外の壁面、窓ガラス、掲示板等の表示体に貼着される表示用粘着シート及びその製造方法に関する。
【０００２】
【従来の技術】
店頭に貼り出される客寄せのためのポスター、バーゲン商品を宣伝するラベル、店内に貼り出されるメニュー等を掲載したお品書きや値札、イベント会場などで使用される案内表示など様々な場所で紙などのシートに印刷、手書きにより図柄や文字を表示した表示シートが用いられている。こうした表示シートは、屋内や屋外の壁面、ショーウィンドウ等の窓ガラス、掲示板などに貼られることから、押しピンが使えない場所では粘着シートが用いられている。粘着シートを用いる場合には、シートを剥がす際にシートが破れて壁面等に残ってしまったり、逆に壁面の表面が剥がれてしまうといった欠点がある。
【０００３】
例えば、特開２００１−２９０４２８号公報では、ラベルの粘着面に、周縁部の一部を非接着領域とするとともに中央部も非接着領域とすることでラベルを剥がしやすくした点が記載されている。また、特開２０００−１１９６１２号公報には、基材と粘着層の間に剥離しやすい層を介在させて基材を剥がしやすくした粘着ラベルが記載されている。
【０００４】
このように、一旦貼り付けた粘着シートや粘着ラベルは、その剥がす方法についていろいろな提案がなされているが、再度利用することついてはほとんど考慮されていないのが実情である。すなわち、上述した表示シートは、季節商品に関するものは翌年にも使用することが多く、また、メニューについても夏、冬限定メニューに関するお品書きは翌年も使用することが考えられる。イベント会場に使用する案内表示も次の会場で使用できることが多い。こうした表示シートの再利用については、環境問題の観点からも望ましいことである。
【０００５】
また、表示シートをショーウィンドウなどの店頭の窓ガラスに貼り出す場合、表示シートの印刷面を店舗の外側に向けて貼り出すと、店舗内からはその裏側の白紙の部分しか表示されず、店舗内が暗くなったり、殺風景な雰囲気となってしまう。こうしたことから、店舗の内外から見ることができる表示シートが提案されている。例えば、特開２０００−２９７２６０号公報には、非粘着シートの両面に文字や図柄等を手書き又は印刷により表示して一方の面に両面の粘着シートを貼って窓ガラスに貼着した点が記載されている。
【０００６】
しかしながら、この場合表示シートが大きくなると、両面の粘着シートを貼ることが難しくなり、一般に用いられている両面テープを用いた方が容易に貼り出せるが、いずれにしても表示シートに別体の粘着シートを貼り付ける作業が必要とならざるを得ない。
【０００７】
【発明が解決しようとする課題】
そこで、本発明ではこうした従来技術の問題点を解決し、簡単に貼り付けができ、再度使用することができる表示用粘着シート及びその製造方法を提供することを目的とするものである。
【０００８】
【課題を解決するための手段】
本発明に係る表示用粘着シートの製造方法は、一方の面の全面に離型剤がコーティングされた離型シートを搬送し、その一方の面にアクリル酸エステル共重合体を主成分とする液状の粘着剤を離散して付着させ、その一方の面に表示シートを積層することを特徴とする。さらに、表示シートは、積層する前に印刷されることを特徴とする。さらに、粘着剤は透明であるとともに、表示シートは、前記離型シートと対向する面に印刷されることを特徴とする。
【０００９】
また、本発明に係る表示用粘着シートは、一方の面の全面に離型剤がコーティングされた離型シートと、該離型シートの一方の面上に離散して形成されたアクリル酸エステル共重合体を主成分とする粘着層と、前記離型シートの全面を覆うように前記粘着層の上に積層された表示シートを備えたことを特徴とする。さらに、表示シートには文字又は図柄等が印刷されていることを特徴とする。さらに、粘着層は透明であるとともに、表示シートは、離型シートと対向する面に印刷されていることを特徴とする。
【００１０】
本発明の製造方法は、離型シートの離型剤がコーティングされている面にアクリル酸エステル共重合体を主成分とする液状の粘着剤を離散して付着させているので、面上に付着した粘着剤は拡がることはなく適度に離散した状態を保つことができ、その状態で表示シートを積層するため、表示シートの再使用を可能にするための適度な粘着力を有する粘着層を形成することができる。この場合、表示シートに粘着剤を離散して付着させることも考えられるが、付着直後の粘着剤は粘度が小さいため、表示シートに粘着剤が染み込んでしまい、粘着剤が適度に離散された状態に保てず、また、染み込んだことで粘着力も落ちてしまうことになる。特に、目の粗い材料を表示シートに用いた場合こうした問題点が顕著になってくる。したがって、表示シートにどのような材料を用いたとしても、離型シート上に粘着剤を離散して付着させれば、表示シートの再使用を可能にするための適度な粘着力を有する粘着層を形成することが可能となる。また、こうした粘着剤の付与を行う場合ローラ表面に粘着剤を供給してローラをシートに接触させて塗布することが一般的に行われているが、離型シートの場合にはこうした接触による付与は離型シートに粘着剤が付着せず、塗布することができない。したがって、粘着剤を離散して付着させる方法を用いることにより離型シートに粘着剤を付与することが可能となる。
【００１１】
また、表示シートを積層する前に表示シートに所望の文字や図柄を印刷すれば、製造された表示シートに印刷するよりも簡単に印刷することができる。さらに、表示シートの印刷を前記離型シートと対向する面に行う場合には、積層する前に印刷しておけば簡単に印刷することができる。
【００１２】
本発明の表示用粘着シートは、壁面等に表示シートを貼り付ける際に離型シートを剥離して簡単にセットすることができる。アクリル酸エステル共重合体を主成分とする粘着層は、貼り付ける場所の材質や表面の状態（ざらざらしている等）によらずしっかりと密着するので、屋外に貼り付けたとしても風により剥がれることはなく、また長期間貼り付けた状態を維持することができる。さらに、離散して形成されているので、表示シートを剥離する場合も簡単に剥がすことができ、貼り付けた場所の表面を剥がしてしまうこともない。また、剥がした後離型シートを最初と同じように粘着層に貼り付けておけば、再度使用することができる。したがって、季節商品等の表示を印刷した表示シートは離型シートを貼り付けておけば、翌年また貼り付けることができる。そして、表示シートを再度使用する際に粘着層は十分な粘着力を保っている。また、離型シートが密着しているので、ラベルプリンタ等の印刷装置で印刷することも可能である。
【００１３】
そして、文字又は図柄等を印刷した表示シートを用いることで製造後に印刷する手間が省け、すぐに貼り付けることができる。さらに、粘着層が透明で、表示シートの離型シートと対向する面に印刷しておけば、表示シートを窓ガラスに貼り付けた場合外側から表示内容を見ることができる。
【００１４】
本発明における表示シートとしては、手書きまたは印刷が可能なものであればよく、具体的には、紙又は樹脂フィルムの他に織物、編物、不織布またはこれらを適宜選択して複合した布帛が挙げられる。離型シートについても、従来より用いられているような紙や樹脂フィルム等からなるシート体に離型剤をコーティングしたものが使用できる。
【００１５】
【発明の実施の形態】
以下、本発明に係る表示用粘着シートの製造方法に関する実施形態について詳しく説明する。図１は、その製造工程を示したものである。所定の幅を有し長尺状の離型シート１が取付軸９にロール状に巻き付けられており、その一端が駆動軸１０に巻き取られることで一方向に搬送されるようになっている。搬送される際に離型シート１の上面となる面には予め離型剤が全面にコーティングされている。
【００１６】
離型シート１の搬送経路の上方には、液状の粘着剤を収容する供給タンク４と撒布器６と両者を接続する供給パイプ５が配置されている。撒布器６は、粘着剤を吐出する複数のスプレーが離型シート１の幅方向にライン状に設けられており、供給タンク４に設けられた図示しない加圧装置により加圧された液状の粘着剤は供給パイプ５を通り撒布器６に圧送されて、離型シートの上面に撒布される。単位面積当りの撒布量及び撒布面積は、離型シートの搬送スピード及びスプレーから吐出される粘着剤の量を調整することで調整できる。スプレーからの吐出量は、スプレーの口径を変更したり、供給タンク４からの供給量をバルブで変更したりすることで調整する。単位面積当りの撒布量は３０ｇ〜５０ｇが好ましく、撒布面積は７０％〜９０％の面積比とすることが好ましい。上記の例では撒布器を用いているが、多数のノズルから粘着剤を滴下して粘着剤を離散して付着させてもよい。
【００１７】
撒布器６の下流側には、ロール状に巻き付けられた表示シート２が離型シート１の搬送経路の上方に配置されている。表示シート２は、離型シート１と同じ幅を有し長尺状に形成されている。表示シート２は搬送されると、印刷装置１１によりその上面に所望の文字や図柄が印刷される。予め表示シート２に印刷したものをロール状に巻き付けておいてもよい。印刷装置１１は、版により決められた文字又は図柄を印刷してもよいし、インクジェット記録装置によりその都度作成した文字又は図柄を印刷するようにしてもよい。
【００１８】
離型シート１の搬送経路の撒布器６より下流側には、一対のローラ７が設置されている。ローラ７は、粘着剤を撒布された離型シート１の上面に表示シート２を積層するように両者を加圧挟持し、離型シート１は表示シート２が貼り合わされて表示用粘着シート８となり駆動軸１０に巻き取られていく。こうして製造された表示用粘着シート８は、印刷された文字又は図柄に合わせて切断される。また、予め決められた大きさに切断しておいてもよい。例えば、表示シート２を白地の状態で製造してＡ判の大きさに切断しておき、その後プリンタ等で印刷することもできる。
【００１９】
使用前は離型シート１があるため、不用意に接着することはなく、従来の粘着シートと同様に取り扱うことができる。使用時には、離型シート１を剥離すればよく、表示シート２を粘着層３によって壁面等に十分密着させることができる。そして、貼り付けた表示シート２は剥がして離型シート１を再度貼り付けておけば再使用することができる。
【００２０】
図２は、製造された表示用粘着シート８の断面図を示している。離型シート１上に粘着層３が離散して形成されており、その上には表示シート２が積層されている。離散して形成された粘着層３により表示シート２を剥離する場合も簡単に剥がすことができ、貼り付けた場所の表面を剥がしてしまうこともない。
【００２１】
【実施例】
離型シートとして、紙からなるシートに離型剤としてシリコン係樹脂をシートの片面に全面コーティングしたものを用い、表示シートとしてポリエステル繊維からなる糸で織成した布地を用いた。粘着剤として、アクリル酸エステル共重合体４０％、飽和ポリエステル樹脂３５％、酢酸エチル２５％をそれぞれの重量成分比で混合して作成した。これらを用いて上述した製造方法で表示用粘着シートを製造した。粘着剤の単位面積当りの撒布量は３０ｇ〜５０ｇの範囲の中で適宜設定し、撒布面積は７０％〜９０％の面積比の範囲内で適宜設定した。
【００２２】
製造された表示用粘着シートについて、粘着力の試験を行った。試験はＪＩＳ　Ｌ１０８６　７．１９．１に準拠して行い、離型シートを剥離した表示シートを表地としてＴＣブロードに貼り付け、たて４ｃｍ×よこ５．５ｃｍの大きさにカットしてサンプルを作成し、引張り試験機により剥離する際の引張り強度を測定した。その結果縦方向及び横方向とも０．２５Ｎであった。このことから、表示シートとして十分な粘着力があることが確認された。また、別にアクリル酸エステル共重合体１００％の粘着剤を用いて製造した表示用粘着シートについても同様の試験をした結果縦方向０．６３Ｎで横方向０．７５の測定結果が得られ、さらに粘着力が増加していることが確認された。
【００２３】
剥離に伴う粘着力の持続性についても実験を行った。表示シートとしてポリエステル繊維からなる糸で織成した布地を用い、アクリル酸エステル共重合体１００％の粘着剤を使用した。離型シートは上記実施例と同じものを使用した。上述した製造方法で製造した表示用粘着シートをＡ４判の大きさに切断し、ほぼ垂直に配置されたガラス板及び化粧板に貼り付けた。場所は屋内で、通常の生活環境の中で行った。そして、１分後に剥離し再度貼り付けることを６０回繰り返し行ったところ、表示用粘着シートの周辺部及び中心部はすべて初回と同様に貼り付いた状態となっており、剥離したまま貼り付かなくなる個所は生じなかった。また、表示シートを貼り付けた状態で、３０分おきに上方から水をかける耐久性に関する実験を行ったが、剥がれるような箇所は生じなかった。こうしたことから、剥離に伴う粘着力の持続性についても確認された。
【００２４】
以上の実験から明らかなように、アクリル酸エステル共重合体の重量成分比率が増大すると、粘着力が大きくなることから、貼り付ける場所の材料等に合せて粘着力を調整することができる。
【００２５】
【発明の効果】
以上に説明したとおり、本発明の製造方法は、離型シートの離型剤がコーティングされている面にアクリル酸エステル共重合体を主成分とする液状の粘着剤を離散して付着させているので、面上に付着した粘着剤は拡がることはなく適度に離散した状態を保つことができ、その状態で表示シートを積層するため、表示シートの再使用を可能にするための適度な粘着力を有する粘着層を形成することができる。この場合、表示シートに粘着剤を離散して付着させることも考えられるが、付着直後の粘着剤は粘度が小さいため、表示シートに粘着剤が染み込んでしまい、粘着剤が適度に離散された状態に保てず、また、染み込んだことで粘着力も落ちてしまうことになる。特に、目の粗い材料を表示シートに用いた場合こうした問題点が顕著になってくる。したがって、表示シートにどのような材料を用いたとしても、離型シート上に粘着剤を離散して付着させれば、表示シートの再使用を可能にするための適度な粘着力を有する粘着層を形成することが可能となる。また、こうした粘着剤の付与を行う場合ローラ表面に粘着剤を供給してローラをシートに接触させて塗布することが一般的に行われているが、離型シートの場合にはこうした接触による付与は離型シートに粘着剤が付着せず、塗布することができない。したがって、粘着剤を離散して付着させる方法を用いることにより離型シートに粘着剤を付与することが可能となる。
【００２６】
また、表示シートを積層する前に表示シートに所望の文字や図柄を印刷すれば、製造された表示シートに印刷するよりも簡単に印刷することができる。さらに、表示シートの印刷を前記離型シートと対向する面に行う場合には、積層する前に印刷しておけば簡単に印刷することができる。
【００２７】
本発明の表示用粘着シートは、壁面等に表示シートを貼り付ける際に離型シートを剥離して簡単にセットすることができる。アクリル酸エステル共重合体を主成分とする粘着層は、貼り付ける場所の材質や表面の状態（ざらざらしている等）によらずしっかりと密着するので、屋外に貼り付けたとしても風により剥がれることはなく、また長期間貼り付けた状態を維持することができる。さらに、離散して形成されているので、表示シートを剥離する場合も簡単に剥がすことができ、貼り付けた場所の表面を剥がしてしまうこともない。また、剥がした後離型シートを最初と同じように粘着層に貼り付けておけば、再度使用することができる。したがって、季節商品等の表示を印刷した表示シートは離型シートを貼り付けておけば、翌年また貼り付けることができる。そして、粘着層の粘着力も表示シートを再度使用することに関しては問題なく保持されている。また、離型シートが密着しているので、ラベルプリンタ等の印刷装置で印刷することも可能である。
【００２８】
また、文字又は図柄等を印刷した表示シートを用いることで製造後に印刷する手間が省け、すぐに貼り付けることができる。さらに、粘着層が透明で、表示シートの離型シートと対向する面に印刷しておけば、表示シートを窓ガラスに貼り付けた場合外側から表示内容を見ることができる。
【図面の簡単な説明】
【図１】本発明に係る実施形態の製造工程の説明図である。
【図２】本発明に係る実施形態の表示用粘着シートの断面図である。
【符号の説明】
１　　離型シート
２　　表示シート
３　　粘着層
４　　供給タンク
５　　供給パイプ
６　　撒布器
７　　ローラ
８　　表示用粘着シート
９　　取付軸
１０　駆動軸
１１　印刷装置
【図１】
2004053709.tif 000003
【図２】
2004053709.tif 000004